(57)【要約】【課題】電源監視回路専用の小出力の副電源を利用しようとする場合、負荷側システムが副電源出力を入力できない場合や何らかの原因によって副電源から負荷側システムへの電力が供給されない場合にも、装置の正常な起動を実現することである。【解決手段】副電源と主電源を有する電源ユニットと負荷側システムの組合せにおいて、副電源の供給用の専用コネクタを電源ユニットと負荷側の双方に設ける。通常の起動時は、副電源からの電源で電源ボタン押下をラッチすることで電源ユニット側の主電源をオンする構成とする。一方で、専用コネクタが接続されない場合は、電源ユニット側はＡＣ入力が入ると、ただちに主電源をオンして負荷側へ電源供給を行い、負荷側は主電源から供給される電源を用いてラッチ回路を動作させるようにする。【選択図】  図３
2012243220.tif 000002
【特許請求の範囲】
【請求項１】
電源ユニットに備えられた少なくとも主電源回路からの電力が第１のコネクタを介して供給されて動作し、装置の電源監視を可能とした記録装置であって、
前記記録装置への電力供給の開始や停止を指示する指示手段と、
前記第１のコネクタを介して供給された電力を入力し、前記指示手段による電力供給の開始や停止の指示を保持する保持手段と、
制御信号を入力する入力部を有し、前記第１のコネクタを介して供給された電力に基づき、電圧を生成するＤＣ／ＤＣ変換手段と、
前記ＤＣ／ＤＣ変換手段で生成された電圧を入力し、前記保持手段により保持された前記指示手段による電力供給の開始の指示に基づいて、前記制御信号を入力し、前記第１のコネクタを介した電力の供給を開始するよう制御する制御手段とを有することを特徴とする記録装置。
【請求項２】
前記制御手段は、前記保持手段により保持された前記指示手段による電力供給の停止指示により、前記制御信号をオフにして、前記第１のコネクタを介した電力の供給を停止するよう制御することを特徴とする請求項１に記載の記録装置。
【請求項３】
前記主電源回路よりは小出力の副電源回路からの電力が第２のコネクタを介して供給が可能である場合、前記制御手段は、前記保持手段により保持された前記指示手段による電力供給の開始の指示により、前記副電源回路からの電力により生成された主電源制御信号を用いて前記主電源回路を起動して、前記第１のコネクタを介した電力の供給を開始するよう制御することを特徴とする請求項１又は２に記載の記録装置。
【請求項４】
前記制御手段は、前記指示手段による電力供給の停止指示により、前記副電源回路からの電力により生成された主電源制御信号を用いて前記主電源回路を停止して、前記第１のコネクタを介した電力の供給を停止するよう制御することを特徴とする請求項３に記載の記録装置。
【請求項５】
前記電源ユニットは商用交流電源により動作することを特徴とする請求項１乃至４のいずれか１項に記載の記録装置。
【請求項６】
前記保持手段は、電力供給の開始や停止の指示の状態を保持するラッチ回路を含むことを特徴とする請求項１乃至４のいずれか１項に記載の記録装置。
【請求項７】
前記主電源回路よりは小出力の副電源回路からの電力が第２のコネクタを介して供給が可能である場合、前記指示手段による電力供給の開始や停止の指示は、前記第２のコネクタを介して、前記電源ユニットに伝えられることを特徴とする請求項３に記載の記録装置。
【請求項８】
記録媒体に記録を行う記録ヘッドと、
前記記録ヘッドを搭載して走査するキャリッジと、
前記記録ヘッドに記録を行わせるための画像データをホストコンピュータから受信する受信手段と、
前記記録媒体を前記キャリッジの走査方向とは異なる方向に搬送する搬送手段とをさらに有することを特徴とする請求項１乃至７のいずれか１項に記載の記録装置。
【請求項９】
制御信号を入力する入力部を有し、電源ユニットに備えられた少なくとも主電源回路からの第１のコネクタを介して供給された電力に基づいて電圧を生成するＤＣ／ＤＣ変換回路により装置の各部に分配されて動作し、装置の電源監視を可能とした記録装置の電力供給の制御方法であって、
前記記録装置への電力供給の開始や停止を指示する指示工程と、
前記第１のコネクタを介して供給された電力を入力し、前記指示工程における電力供給の開始や停止の指示を保持する保持工程と、
前記ＤＣ／ＤＣ変換回路で生成された電圧を入力し、前記保持された前記電力供給の開始の指示に基づいて、前記制御信号を出力し、前記第１のコネクタを介した電力の供給を開始するよう制御する制御工程とを有することを特徴とする電力供給の制御方法。
【請求項１０】
前記主電源回路よりは小出力の副電源回路からの電力が第２のコネクタを介して供給が可能である場合、前記制御工程では、前記保持された前記電力供給の開始の指示により、前記副電源回路からの電力により生成された主電源制御信号を用いて前記主電源回路を起動して、前記第１のコネクタを介した電力の供給を開始するよう制御することを特徴とする請求項９に記載の電力供給の制御方法。
【発明の詳細な説明】
【技術分野】
【０００１】
本発明は記録装置及びその電力供給の制御方法に関し、特に、インクジェット記録ヘッドを用いて記録を行う記録装置及びその電力供給の制御方法に関する。
【背景技術】
【０００２】
近年、各種情報処理装置においては、装置稼働時やスリープ時の消費電力を削減するだけでなく、装置停止時（電源オフ時）の消費電力についてもより一層の削減が求められつつある。ソフト制御による電源オン／オフの機能を有する情報処理装置では、小規模なマイクロコンピュータ、あるいはラッチ回路などを用いて電源スイッチの監視を行う構成が一般的である。しかしながら、こうした電源監視用の回路には装置の電源オフ時でも電源供給が維持されている必要がある。
【０００３】
電源監視用の回路で消費される電力は通常、装置稼働時に消費される電力と比較すると相対的にかなり小さい。このため、装置稼働時の大きな消費電力に合わせて構成される電源の出力を用いるよりも、小出力の電源監視用回路専用電源を別途設けてその出力を用いた方が、電源回路の効率の点から消費電力削減に有利となる場合が多い。また、大出力を想定して作られた電源は回路規模も大きく、電源回路自体が消費する電力自体も大きい。このような理由で、電源監視用回路の電源としては回路規模が小さな専用電源を用い、装置停止時には大出力の電源回路の回路動作を停止させることで、回路自体の消費電力を削減するという効果も期待できる。
【０００４】
例えば、特許文献１は、装置停止時において必要最低限の回路のみに電源供給を行う第一の電源回路と、装置停止時はオフし、装置の通常動作時にのみ負荷側へ電源を供給する第二の電源回路とを有する情報処理装置を開示している。特許文献１によれば、第一の電源回路からの電源供給を受けた回路ブロックに対する信号入力をトリガとして第二の電源回路を作動させ、それによって装置を起動させる構成とすることで、装置停止時の消費電力を抑えることが可能となっている。
【先行技術文献】
【特許文献】
【０００５】
【特許文献１】特開２０００−１３９９７号公報
【発明の概要】
【発明が解決しようとする課題】
【０００６】
しかしながら特許文献１に開示された従来の構成は、負荷側に第一の電源回路が接続できない構成や、接続自体は可能であっても何らかの原因によって第一の電源回路から負荷側への電力供給が行われない場合の装置動作については考慮されていない。
【０００７】
従って、情報処理装置の負荷側回路が副電源回路からの電源供給を受ける構成となっていない場合や、副電源回路が接続可能な構成であってもそこからの電源供給が停止している場合には、装置停止時には動作しないという問題があった。
【０００８】
本発明は上記従来例に鑑みてなされたもので、動作停止時に負荷側回路へ電力供給を行う副電源回路を有する構成なら動作停止時の消費電力削減を図りつつ電源監視を行い装置動作を可能にした記録装置及びその電力供給の制御方法を提供することを目的とする。
【課題を解決するための手段】
【０００９】
上記目的を達成するために本発明の記録装置は次のような構成からなる。
【００１０】
即ち、電源ユニットに備えられた少なくとも主電源回路からの電力が第１のコネクタを介して供給されて動作し、装置の電源監視を可能とした記録装置であって、前記記録装置への電力供給の開始や停止を指示する指示手段と、前記第１のコネクタを介して供給された電力を入力し、前記指示手段による電力供給の開始や停止の指示を保持する保持手段と、制御信号を入力する入力部を有し、前記第１のコネクタを介して供給された電力に基づき、電圧を生成するＤＣ／ＤＣ変換手段と、前記ＤＣ／ＤＣ変換手段で生成された電圧を入力し、前記保持手段により保持された前記指示手段による電力供給の開始の指示に基づいて、前記制御信号を入力し、前記第１のコネクタを介した電力の供給を開始するよう制御する制御手段とを有することを特徴とする。
【００１１】
本発明を別の側面から見れば、制御信号を入力する入力部を有し、電源ユニットに備えられた少なくとも主電源回路からの第１のコネクタを介して供給された電力に基づいて電圧を生成するＤＣ／ＤＣ変換回路により装置の各部に分配されて動作し、装置の電源監視を可能とした記録装置の電力供給の制御方法であって、前記記録装置への電力供給の開始や停止を指示する指示工程と、前記第１のコネクタを介して供給された電力を入力し、前記指示工程における電力供給の開始や停止の指示を保持する保持工程と、前記ＤＣ／ＤＣ変換回路で生成された電圧を入力し、前記保持された前記電力供給の開始の指示に基づいて、前記制御信号を出力し、前記第１のコネクタを介した電力の供給を開始するよう制御する制御工程とを有することを特徴とする電力供給の制御方法を備える。
【発明の効果】
【００１２】
従って本発明によれば、電源ユニットの副電源回路からの電源供給を受けることが可能であるか否かに関わらず装置の起動となる。これにより、その電源ユニットが副電源回路を有するなら、装置停止時の消費電力削減を実現可能となる。
【図面の簡単な説明】
【００１３】
【図１】本発明の代表的な実施例であるＡ０やＢ０サイズの記録媒体を用いるインクジェット記録装置の外観斜視図である。
【図２】記録装置の制御回路の構成を示すブロック図である。
【図３】電源ユニットと負荷側システムの接続構成を示すブロック図である。
【図４】図３の構成における電源オン時の動作を説明するための信号波形のタイムチャートである。
【図５】図３の構成において装置の電源をオフにする際の動作を説明するための信号波形のタイムチャートである。
【図６】図３で示した電源ユニット２１７と、副電源回路からの電源供給を受け入れできない負荷側システムとが組み合わされた場合の接続構成を示すブロック図である。
【図７】図６の構成における電源オン時の動作を説明するための信号波形のタイムチャートである。
【図８】図６の構成において装置の電源をオフにする際の動作を説明するための信号波形のタイムチャートである。
【図９】図３で示した負荷側システム２１６と、副電源回路を持たない電源ユニット７１７との接続構成を示すブロック図である。
【図１０】図９の構成における電源オン時の動作を説明するための信号波形のタイムチャートである。
【図１１】図９の構成において装置の電源をオフにする際の動作を説明するための信号波形のタイムチャートである。
【発明を実施するための形態】
【００１４】
以下に、図面を参照しながら本発明の実施例について詳細に説明する
なお、この明細書において、「記録」（以下、「プリント」とも称する）とは、文字、図形等有意の情報を形成する場合のみならず、有意無意を問わず、広く記録媒体上に画像、模様、パターン等を形成する、又は媒体の加工を行う場合も表すものとする。また、人間が視覚で知覚し得るように顕在化したものであるか否かを問わない。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
また、「インク」とは、上記「記録」の定義と同様広く解釈されるべきもので、記録媒体上に付与されることによって、画像、模様、パターン等の形成又は記録媒体の加工、或いはインクの処理に供され得る液体を表すものとする。インクの処理としては、例えば記録媒体に付与されるインク中の色剤の凝固又は不溶化させることが挙げられる。
【００１７】
またさらに、「記録素子」（「ノズル」という場合もある）とは、特にことわらない限りインク吐出口乃至これに連通する液路及びインク吐出に利用されるエネルギーを発生する素子を総括して言うものとする。
【００１８】
＜記録装置の構成（図１）＞
図１は本発明の代表的な実施例であるＡ０やＢ０サイズの記録媒体を用いるインクジェット記録装置の外観斜視図である。図１において、（ｂ）は（ａ）に示した記録装置のアッパカバーを取り外した状態を示す斜視図である。図１に示すインクジェット記録装置（以下、記録装置）は、商用のＡＣ電源の供給を受けて動作する。その本体内部には後述のように装置全体を制御するためのＣＰＵ・メモリ・各種コントローラＩＣを搭載した制御基板、ハードディスクドライブ（ＨＤＤ）、モータ、ファン等が搭載されている。また、本体外面に設けられた操作パネルには、電源投入、および装置の負荷側の電源をオフしてシャットダウンさせるための電源ボタン、装置制御のための操作用ボタン、ＬＣＤ、ＬＥＤ等が配置されている。
【００１９】
図１（ａ）に示されるように、記録装置２の前面に手差し挿入口８８が設けられ、その下部に前面へ開閉可能なロール紙カセット８９が設けられており、記録紙等の記録媒体は手差し挿入口８８又はロール紙カセット８９から記録装置内部へと供給される。記録装置２は、２個の脚部９３に支持された装置本体９４、排紙された記録媒体を積載するスタッカ９０、内部が透視可能な透明で開閉可能なアッパカバー９１を備えている。また、装置本体９４の右側には、操作パネル１２、インク供給ユニット及びインクタンクが配設されている。
【００２０】
図１（ｂ）に示されているように、記録装置２はさらに、記録媒体を矢印Ｂ方向（副走査方向）に搬送するための搬送ローラ７０と、記録媒体の幅方向（矢印Ａ方向、主走査方向）に往復移動可能に案内支持されたキャリッジ４とを備えている。記録装置２はさらに、キャリッジ４を矢印Ａ方向に往復移動させるためのキャリッジモータ（不図示）とキャリッジベルト（以下、ベルト）２７０と、キャリッジ４に装着された記録ヘッド１１とを備えている。またさらに、インクを供給するとともに記録ヘッド１１の吐出口の目詰まりなどによるインク吐出不良を解消させるための吸引式インク回復ユニット９も備えられている。
【００２１】
この記録装置の場合、キャリッジ４には、記録媒体にカラー記録を行うために、４つのカラーインクに対応して４つのヘッドからなる記録ヘッド１１が装着されている。即ち、記録ヘッド１１は、例えば、Ｋ（ブラック）インクを吐出するＫヘッド、Ｃ（シアン）インクを吐出するＣヘッド、Ｍ（マゼンタ）インクを吐出するＭヘッド、Ｙ（イエロ）インクを吐出するＹヘッドで構成されている。
【００２２】
以上の構成で記録媒体に記録を行う場合、搬送ローラ７０によって記録媒体を所定の記録開始位置まで搬送する。その後、キャリッジ４により記録ヘッド１１を主走査方向に走査させる動作と、搬送ローラ７０により記録媒体を副走査方向に搬送させる動作とを繰り返すことにより、記録媒体全体に対する記録が行われる。
【００２３】
即ち、ベルト２７０およびキャリッジモータ（不図示）によってキャリッジ４が図１（ｂ）に示された矢印Ａ方向に移動することにより、記録媒体に記録が行われる。キャリッジ４が走査される前の位置（ホームポジション）に戻されると、搬送ローラによって記録媒体が副走査方向（図１（ｂ）に示された矢印Ｂ方向）に搬送され、その後、再び図２中の矢印Ａ方向にキャリッジを走査する。このようにして、記録媒体に対する画像や文字等の記録が行なわれる。さらに上記の動作を繰り返し、記録媒体の１枚分の記録が終了すると、その記録媒体はスタッカ９０内に排紙され、１枚分の記録が完了する。
【００２４】
［記録装置の制御構成概要］
＜制御構成の説明＞
次に、図１を用いて説明した記録装置の記録制御を実行するための制御構成について説明する。
【００２５】
図２は記録装置の制御回路の構成を示すブロック図である。
【００２６】
図２に示されるように、記録装置２は、負荷側システム２１６と電源ユニット（ＰＷＵ）２１７から構成される。負荷側システム２１６はプリンタエンジン２０８とプリンタ制御回路２１８と電源監視制御部２１３とＤＣ／ＤＣ変換回路２１４によって構成される。プリンタ制御回路２１８は、ＣＰＵ２０１、ＲＡＭ２０２、ＲＯＭ２０３、画像処理部２０４、ＨＤＤ２０５、ホストインタフェース２０６、エンジンインタフェース２０７、操作表示部２０９、汎用Ｉ／Ｏコントローラ２１０、システムバス２１１を含む。プリンタエンジン２０８は、図１に示したような機構部を含むものであり、エンジンインタフェース（Ｉ／Ｆ）２０７を介して、プリンタ制御回路２１８により、その動作は制御される。
【００２７】
プリンタエンジン２０８と電源監視制御部２１３とＤＣ／ＤＣ変換回路２１４を除く各ブロックはシステムバス２１１によって相互に接続されている。電源ユニット２１７は商用の交流電源入力を直流に変換して出力するＡＣ／ＤＣ変換回路２１５によって構成される。なお、負荷側システム２１６と電源ユニット２１７との間は、コネクタやケーブル等（不図示）を用いて電気的に接続される。
【００２８】
ＣＰＵ２０１は記録装置２全体の制御を行う。ＣＰＵ２０１はＲＡＭ２０２もしくはＲＯＭ２０３に格納されている動作制御プログラムを実行することにより、記録装置２全体の動作を制御する。具体的には、ホストコンピュータから受信される印刷ジョブデータを記録媒体へ出力するための画像データへ変換するための画像処理部２０４の制御、操作表示部２０９の制御、汎用Ｉ／Ｏコントローラ２１０の制御を実行する。また、ＣＰＵ２０１は、画像処理部２０４で生成された画像データをプリンタエンジン２０８へと転送するためのエンジンインタフェース２０７の制御等を実行する。
【００２９】
ＲＡＭ２０２は、ＲＡＭデバイスおよびＲＡＭデバイスへのアクセス制御を司るＲＡＭコントローラから構成される。ＲＡＭデバイスはＣＰＵ２０１において実行される動作制御プログラムを実行する際のワークメモリや、印刷処理を実行中に生成される各種中間データを格納するためのバッファメモリとしての機能を持つ。加えて、ホストコンピュータとの間で送受信される各種データ（印刷ジョブデータや各種制御データ）を一時的に格納するためのバッファメモリとしての機能を持つ。
【００３０】
ＲＯＭ２０３は、ＲＯＭデバイスおよびＲＯＭデバイスへのアクセス制御を司るＲＯＭコントローラから構成される。ＲＯＭデバイスは、ＣＰＵ２０１において実行される動作制御プログラム、記録制御用各種データ、操作表示部２０９に設けられているＬＣＤに表示するための各種画面データ等が格納される不揮発性メモリである。ＲＯＭ２０３は、ＣＰＵ２０１からの命令に従い、格納されている情報をシステムバス２１１へ出力する。動作制御プログラムには、プリンタエンジン２０８の制御用プログラム等、各種プログラムが含まれる。
【００３１】
画像処理部２０４は、印刷ジョブデータとしてホストコンピュータから送信される画像データに対する色空間変換処理や、ガンマ補正処理、誤差拡散法による量子化処理等を行い、プリンタエンジンが出力可能な二値画像データの生成を行う。
【００３２】
ＨＤＤ２０５は、Ｓｅｒｉａｌ ＡＴＡ規格のハードディスクドライブおよび、システムバス２１１とハードディスクドライブのＳｅｒｉａｌ ＡＴＡ インタフェース間を接続するためのブリッジ部とから構成される。ＨＤＤ２０５は記録装置２の大容量外部記憶装置として動作し、ホストインタフェース（Ｉ／Ｆ）２０６を介してホストコンピュータから受信した印刷ジョブデータを格納、保存する。
【００３３】
ホストインタフェース２０６は、記録装置２とホストコンピュータ（不図示）とを接続し、両者間でデータの送受信を行う。ホストインタフェース２０６を介してホストコンピュータから受信した印刷ジョブデータは、システムバス２１１を経由してＲＡＭ２０２に格納される。ホストインタフェース２０６は、ＵＳＢ等のシリアル通信方式や１０００Ｂａｓｅ−ＴＸ等のネットワーク通信方式を用いる。
【００３４】
エンジンインタフェース２０７は、プリンタエンジン２０８とシステムバス２１１とを接続し、画像処理部２０４が生成してＲＡＭ２０２に格納されている二値画像データを順次読みだしてプリンタエンジン２０８に転送する。
【００３５】
プリンタエンジン２０８は、記録ヘッド、これを搭載するキャリッジとその駆動機構と制御回路、記録媒体の供給搬送機構とその制御回路、インクタンクから記録ヘッドへのインク供給を制御する機構とその制御回路などによって構成される。詳しくは、既に図１を参照して説明したとおりである。
【００３６】
操作表示部２０９は、ＬＣＤ、ＬＥＤやその制御回路および操作パネル１２に設けられた各種ボタンから概略構成され、各ボタンにはボタンと連動するスイッチが付随している。スイッチの状態は電気信号として出力され、制御回路を介してＣＰＵへ通知される。また操作表示部の制御回路は、操作表示部２０９に設けられているメニュー表示のためのＬＣＤ、状態表示用のＬＥＤ等に対して電気信号を出力する機能を有する。
【００３７】
加えて操作表示部２０９には、記録装置２の電源オン／オフ操作用電源ボタン、印刷キャンセル用のキャンセルボタン、各種操作・設定メニューを呼び出すためのメニューボタン、メニュー画面における項目選択のための十字カーソルボタン等が設けられている。なお、電源ボタンを含めすべてのボタンを構成するスイッチはモーメンタリタイプ、即ち、ボタン押下中だけ動作するスイッチによって構成される。
【００３８】
記録装置２はソフト制御による電源オン／オフ機能を有しており、電源ボタンの操作により以下のように動作する。ここで、記録装置２は商用電源に接続され、電力供給が可能な状態にあるものとする。
【００３９】
まず、記録装置２がシャットダウン状態（プリンタ制御回路２１８に対する電源供給がオフ状態）下で電源ボタンが押下されると、電源監視制御部２１３内のラッチ回路（不図示）によってボタン押下状態がラッチされる。ここで、ラッチ回路は出力としてハイレベルの信号を出力し、これがＤＣ／ＤＣ変換回路２１４に入力されてＤＣ／ＤＣ変換回路２１４の動作許可信号として作用する。この結果、ＤＣ／ＤＣ変換回路２１４が動作を開始し、プリンタ制御回路２１８に対する電源供給が行われて装置が起動する。
【００４０】
また、記録装置２は装置起動状態で電源ボタンが一定時間以上押下されると、ＣＰＵ２０１が所定の装置シャットダウン前処理を実行後、電源監視制御部２１３内のラッチ回路のラッチ状態を解除する信号を汎用Ｉ／Ｏコントローラ２１０を介して出力する。その結果、ラッチ回路の出力がローレベルとなってＤＣ／ＤＣ変換回路２１４をオフして電圧変換動作を停止させ、装置をシャットダウン（停止状態へ移行）させる。
【００４１】
汎用Ｉ／Ｏコントローラ２１０は、入出力ポート２１２を制御する機能を備えている。入出力ポート２１２は、汎用Ｉ／Ｏコントローラ２１０内に設けられたレジスタに設定されたパラメータに従って入力ポートまたは出力ポートとして機能する。出力に設定された入出力ポート２１２を介して電源監視制御部２１３や他の回路ブロック（不図示）を制御する。また、入力に設定された入出力ポート２１２を介して電源監視制御部２１３から出力される信号を受け、電源の出力状態を取得するとともに、システム起動状態下において、電源ボタンに対する押下操作を検出する機能を実現する。
【００４２】
電源監視制御部２１３は、電源ボタンの押下状態をラッチするラッチ回路、ラッチ回路から出力される信号の論理変換を行うトランジスタ等で構成される。ラッチ回路の出力信号は、電源ユニット２１７、ＤＣ／ＤＣ変換回路２１４の制御信号として用いられる。
【００４３】
ＤＣ／ＤＣ変換回路２１４は、ＡＣ／ＤＣ変換回路２１５が出力する直流出力電圧を、負荷側システム２１６の各ブロックが必要とする所定の直流電圧に変換して出力し分配する機能を備え、スイッチングレギュレータおよびその周辺回路で構成される。
【００４４】
ＡＣ／ＤＣ変換回路２１５は、商用の交流電圧入力を直流に変換して出力する機能を有し、降圧用の変圧器、交流を直流に変換する整流回路、出力安定化回路等で構成される。
【００４５】
次に、記録装置の電源ユニット２１７と、電源ユニット２１７と組み合わされる負荷側システム２１６の動作について図面を参照しながら説明する。
【００４６】
図３は、電源ユニット２１７と負荷側システム２１６の接続構成を示すブロック図である。なお、図３において、図２と同じ構成要素については同一の参照番号を付し、その説明は省略する。
【００４７】
図３に示すように、電源ユニット２１７は、主電源回路３０１と副電源回路３０２で構成され、主電源回路３０１には負荷側システム２１６からトランジスタ３１７によって主電源制御信号（ＭＰＣＮＴＬ）が接続されている。主電源回路３０１は、主電源制御信号（ＭＰＣＮＴＬ）を入力する入力部（入力端子）を備えている。主電源回路３０１と副電源回路３０２は、商用交流電源入力を直流に変換し、それぞれＶｍａｉｎ、Ｖｓｕｂとして出力する。ここで、主電源回路３０１は主電源制御信号（ＭＰＣＮＴＬ）がローレベルの場合にＶｍａｉｎを出力し、ハイレベルの場合には回路動作を停止してＶｍａｉｎをオフする機能を有している。また、副電源回路３０２は、商用電源が供給されている状態では常にＶｓｕｂを出力するように構成される。入力部のレベルに対応するＡ点のレベルがローレベルの場合にＶｍａｉｎを出力し、ハイレベルの場合にはＶｍａｉｎをオフする。
【００４８】
このような構成において、商用電源が供給されていてかつ、記録装置が起動していない状態（電源ボタンが押下されていない状態）では、ラッチ回路３０３の出力はローレベルとなっている。このため、ラッチ回路３０３の出力が論理反転された信号である主電源制御信号（ＭＰＣＮＴＬ）は結果的にハイレベルとなり、主電源回路３０１は回路動作を停止した状態となる。
【００４９】
電源ユニット２１７と負荷側システム２１６との間は、コネクタ（第１のコネクタ）３０４、コネクタ（第２のコネクタ）３０５の二つのコネクタを介して着脱、交換可能な形で接続される。そして、Ｖｍａｉｎはコネクタ３０４を介して、Ｖｓｕｂについてはコネクタ３０５を介してそれぞれ負荷側システム２１６に対して供給される。また、主電源制御信号（ＭＰＣＮＴＬ）はコネクタ３０５を介して電源ユニット２１７に接続するように構成しておく。加えて、Ｖｍａｉｎ、Ｖｓｕｂはそれぞれダイオード３１３、ダイオード３１２を介してラッチ回路３０３へと接続されており、ラッチ回路３０３を動作させるための電源を供給する。
【００５０】
なお、図３において、主要な電力供給ラインについては太線で示してある。
【００５１】
ラッチ回路３０３は、電源ボタン３０６の操作状態を記憶するための回路であり、電源ボタン３０６の一端がラッチ回路３０３の入力端子に接続されている。ラッチ回路３０３の入力端子はプルダウンされており、電源ボタンが押下されている間のみハイレベルとなる。ラッチ回路３０３は、（電源ボタン３０６が押下され電源ボタン状態検出ライン（ＰＢＳＤＬ）のレベルがハイレベルとなった場合にこれを記憶して保持し、ラッチ出力としてハイレベルを出力する。
【００５２】
なお、ラッチ回路３０３の出力は、ラッチ解除信号（ＬＡＴＣＨＲ）をハイレベルとすることで解除され、ローレベルとなる。ラッチ回路３０３のラッチ出力（図３のＤ点）はＤＣ／ＤＣ変換回路２１４、および複数のトランジスタを介して主電源回路３０１へと接続され、各回路の動作実行・停止を制御する信号となっている。ＤＣ／ＤＣ変換回路２１４は、主電源回路３０１から出力される直流のＶｍａｉｎの電圧を変換してＶｏｕｔとして出力する。また、ＤＣ／ＤＣ変換回路２１４は制御信号を入力する入力部（入力端子）を備え、その入力部のレベルに対応するＢ点のレベルがハイレベルの場合にＶｏｕｔを出力し、Ｂ点のレベルがローレベルの場合は回路動作を停止してＶｏｕｔをオフする機能を有する。
【００５３】
電源ボタン状態検出ライン（ＰＢＳＤＬ）は、トランジスタ３１８、３１９を介してプリンタ制御回路２１８の汎用Ｉ／Ｏコントローラ２１０に接続される。記録装置が起動状態では、プリンタ制御回路２１８は電源ボタン状態検出ライン（ＰＢＳＤＬ）のレベルを監視している。そして、電源ボタン３０６がユーザによって一定時間以上押下し続けられた場合に装置をシャットダウンさせる（電力供給停止の指示）。具体的には、プリンタ制御回路２１８は所定のシャットダウン前処理を実行後、ラッチ解除信号（ＬＡＴＣＨＲ）に対してハイレベルの信号を出力してラッチ回路３０３をクリアする。この結果、主電源回路３０１およびＤＣ／ＤＣ変換回路２１４がディスエーブルとなって回路動作が停止し、プリンタ制御回路２１８への電源供給を遮断して装置をシャットダウンさせる。
【００５４】
小出力の副電源回路３０２の出力Ｖｓｕｂは、トランジスタ３１４を介してプリンタ制御回路２１８内の汎用Ｉ／Ｏコントローラ２１０に接続されており、Ｖｓｕｂの供給状態を確認することができる。具体的には、Ｖｏｕｔが供給されている状態で、Ｖｓｕｂが負荷側システム２１６に対して供給されている場合はＶｓｕｂ検出信号がローレベルとなる。一方、コネクタ３０５が接続されていない場合や、副電源回路３０２の故障等の理由によりＶｓｕｂが負荷側システム２１６に対して供給されていない場合、Ｖｏｕｔが出力されていればＶｓｕｂ検出信号はハイレベルとなる。
【００５５】
プリンタ制御回路２１８は、装置の起動処理完了後、Ｖｓｕｂ検出信号のレベルを確認することでＶｓｕｂの供給状態を確認することができる。即ち、図３の構成においてコネクタ３０５が誤って接続されずＶｓｕｂが負荷側システム２１６に対して供給されなかった場合に、負荷側システム２１６に対する副電源回路からのＶｓｕｂの供給が無いため、トランジスタ３１４は常時オフとなる。結果、Ｖｏｕｔが出力されて装置が起動した段階において、Ｖｓｕｂ検出信号はハイレベルとなる。このように、この実施例の構成では、コネクタ３０５を介した副電源回路３０２と負荷側システム２１６間の接続状態を検出することができる構成となっている。
【００５６】
以下、異なる構成の負荷側システムと電源ユニットの組み合わせにおける電源オン時の動作と電源オフ時の動作について説明する。
【００５７】
（１）電源ユニットの主電源回路と副電源回路の両方が、負荷側システムに電力供給を行い、負荷側システムも両方の電源を受け付け可能な構成である場合
ここでは、図４〜図５を参照して、図３で示す構成の記録装置における電源オン／オフ時の動作を説明する。
【００５８】
・電源オン時の動作
図４は、図３の構成における電源オン時の動作を説明するための信号波形のタイムチャートであり、図５は、図３の構成において装置の電源をオフにする際の動作を説明するための信号波形のタイムチャートである。
【００５９】
図４において、商用電源が供給状態でＶｓｕｂは出力されており、電源ボタン３０６が押下されていない場合、主電源制御信号３１１はＶｓｕｂによってプルアップされてハイレベルとなるため、結果としてＶｍａｉｎはオフ状態となっている。ここで、ユーザが電源ボタン３０６を押下操作すると、電源ボタン状態検出ライン（ＰＢＳＤＬ）がハイレベルとなり、ラッチ回路３０３の出力（図３中、Ｄ点の電圧レベル）がハイレベルとなる。ラッチ回路３０３の出力はユーザが電源ボタンの押下操作を解除しても維持され、これによりＤＣ／ＤＣ制御信号（ＤＣ／ＤＣ−ＣＮＴＬ）がハイレベルとなる（図４中の矢印４０１）。これとともに、主電源制御信号（ＭＰＣＮＴＬ）はローレベルとなる（図４中の矢印４０２）。
【００６０】
主電源制御信号（ＭＰＣＮＴＬ）がローレベルとなることにより主電源回路３０１はイネーブルとなって回路動作を開始し、Ｖｍａｉｎが出力を開始する（図４中の矢印４０３）。また、ＤＣ／ＤＣ制御信号（ＤＣ／ＤＣ−ＣＮＴＬ）がハイレベルとなることによりＤＣ／ＤＣ変換回路２１４もイネーブルとなる（図４中の矢印４０４）。そして、入力側のＶｍａｉｎが立ち上がるのに合わせて（図４中の矢印４０５）電圧変換動作を開始してＶｏｕｔを出力する。これにより、プリンタ制御回路２１８の各部に電源が供給されて記録装置が起動する。
【００６１】
・電源オフ時（記録装置をシャットダウン）の動作
図５において、記録装置が稼働中にユーザ操作により電源ボタンの押下操作が行われると、電源オン時と同様に、電源ボタン状態検出ライン（ＰＢＳＤＬ）がハイレベルとなる（電力供給停止指示）。プリンタ制御回路２１８は、電源ボタン状態検出ライン（ＰＢＳＤＬ）の電圧レベルを２個のトランジスタ３１８、３１９を介して監視している。電源ボタンの押下操作が所定の時間以上継続した場合に、プリンタ制御回路２１８はまずシステムをシャットダウンさせるために必要な各種処理を実行する。
【００６２】
その後、プリンタ制御回路２１８は、ラッチ解除信号（ＬＡＴＣＨＲ）をハイレベルにして出力する（図５中の矢印５０１）ことでラッチ回路３０３のラッチ状態を解除する（ラッチ回路の出力はローレベルとなる）。この結果、ＤＣ／ＤＣ制御信号（ＤＣ／ＤＣ−ＣＮＴＬ）はローレベルとなる（図５中５０２）とともに、主電源制御信号（ＭＰＣＮＴＬ）はハイレベルとなる（図５中矢印５０３）。この結果、ＤＣ／ＤＣ変換回路２１４と主電源回路３０１はディスエーブルとなり、回路動作が停止してＶｍａｉｎ、Ｖｓｕｂ、Ｖｏｕｔが全てオフされ（図５中矢印５０４〜５０６）、装置がシャットダウンする。
【００６３】
以上、副電源回路３０２の出力Ｖｓｕｂからの供給を受けてラッチ回路を駆動しつつ、電源オフ時は主電源回路の動作を停止させることによって電源オフ時の消費電力を削減可能なシステムについて説明してきた。
【００６４】
しかし、例えば、コスト低減のために副電源回路を持たない構成としたい場合や、逆に負荷側システムが副電源回路からの電源供給を前提としない構成となっている場合も存在する。図３で説明した負荷側システム２１６は、副電源回路を持たない電源ユニットと組み合わされた場合でも動作可能となっている。また、図３で説明した電源ユニット２１７は、副電源回路からの電源供給を前提としない負荷側システムと組み合わされた場合でも動作する構成となっている。以下、これらの場合について説明する。
【００６５】
（２）電源ユニットの副電源回路からの電力供給を入力できない負荷側システムが電源ユニットに接続された場合
図６は、図３で示した電源ユニット２１７と、副電源回路３０２からの電源供給ができない負荷側システム６１６とが組み合わされた場合の接続構成を示すブロック図である。なお、図６においても、図３に示したのと同じ構成要素には同じ参照番号を付し、その説明は省略する。
【００６６】
図６に示す負荷側システム２１６は、副電源回路３０２からの電源供給ラインを持たず、ラッチ回路３０３への電源供給は主電源回路３０１のみによって行われる構成となっている。また、負荷側システム２１６は副電源回路３０２との接続を前提としていないため、電源ユニット２１７との接続はコネクタ３０４のみで実現される。従って、図３で示したコネクタ３０５はこの場合には用いられない。なお、図６においても、コネクタ３０４については、図３に示した構成と全く構成としておくことで、負荷側システム２１６に対して電源ユニット２１７あるいは後述する電源ユニット７１７の双方を接続することが可能となっている。
【００６７】
図６において、電源ユニット２１７に対してラッチ回路３０３の出力は接続されないため、電源ユニット２１７に商用電源が供給されている状態ではＶｓｕｂによってトランジスタ３１７がオンとなり、主電源制御信号（ＭＰＣＮＴＬ）をローレベルとする。これにより、主電源回路３０１は常時、イネーブル状態に維持される。即ち、商用電源が供給されている状態では常にＶｍａｉｎが出力され、負荷側システム２１６のラッチ回路３０３には駆動用の電源が供給される構成となっている。
【００６８】
次に、図７〜図８を参照して図６で示す構成の記録装置における電源オン／オフ時の動作を説明する。図７は、図６の構成における電源オン時の動作を説明するための信号波形のタイムチャートであり、図８は、図６の構成において装置の電源をオフにする際の動作を説明するための信号波形のタイムチャートである。
【００６９】
・電源オン時の動作
図７において、商用電源が供給されている状態では副電源回路３０２がＶｓｕｂを出力するが、コネクタ３０５が接続されていないため、電源ボタン３０６の押下状態によらず主電源制御信号（ＭＰＣＮＴＬ）はローレベルとなる。結果として、主電源回路３０１がイネーブルとなってＶｍａｉｎが出力される。この状態でユーザが電源ボタン３０６を押下操作すると、Ｖｍａｉｎの供給を受けて動作するラッチ回路３０３の電源ボタン状態検出ライン（ＰＢＳＤＬ）がハイレベルとなり、ラッチ回路３０３の出力（図６中、Ｄ点の電圧レベル）がハイレベルとなる。ラッチ回路３０３の出力はユーザが電源ボタンの押下操作を解除しても維持される。これによりＤＣ／ＤＣ制御信号（ＤＣ／ＤＣ−ＣＮＴＬ）がハイレベルとなって（図７中の矢印８０１）、ＤＣ／ＤＣ変換回路２１４がイネーブルとなり（図７中の矢印８０４）、電圧変換動作を開始してＶｏｕｔの出力を開始する。これによりプリンタ制御回路２１８の各部に電源が供給されて記録装置が起動する。
【００７０】
・電源オフ時（記録装置をシャットダウン）の動作
図８において、記録装置が稼働状態でユーザ操作により電源ボタン３０６の押下操作が行われると、電源ボタン状態検出ライン（ＰＢＳＤＬ）がハイレベルとなる。図３で説明したように、電源ボタンの押下操作が所定の時間以上継続した場合に、プリンタ制御回路２１８はシステムをシャットダウンさせるために必要な各種処理を実行する。その後、ラッチ解除信号（ＬＡＴＣＨＲ）をハイレベルにして（図８中の矢印９０１）、ラッチ回路３０３のラッチ状態を解除する（ラッチ回路の出力はローレベルとなる）。これにより、ＤＣ／ＤＣ制御信号（ＤＣ／ＤＣ−ＣＮＴＬ）はローレベルとなり（図８中９０２）、ＤＣ／ＤＣ変換回路２１４はディスエーブルとなる。その結果、ＤＣ／ＤＣ変換回路の動作が停止してＶｏｕｔがオフされ（図８中矢印９０５）、装置がシャットダウンする。
【００７１】
（３）副電源回路をもたない電源ユニットに副電源回路からの電力供給を受け入れ可能な負荷側システムが接続された場合
図９は、図３で示した負荷側システム２１６と、副電源回路を持たない電源ユニット７１７との接続構成を示すブロック図である。なお、図９において、図３に示したのと同じ構成要素には同じ参照番号を付し、その説明を省略する。
【００７２】
図９に示す電源ユニット７１７は、主電源回路７０１のみで構成され、副電源回路を持たない。従って、負荷側システム２１６に対しては主電源回路７０１からのみ、電源が供給される。ここで、主電源回路７０１は、商用電源が供給されている状態では常にＶｍａｉｎを出力するような構成となっており、ダイオード３１３を介してラッチ回路３０３を駆動するための電源を供給する。
【００７３】
電源ユニット７１７と負荷側システム２１６との間は、コネクタ３０４を介して着脱、交換可能な形で接続される。ここで、コネクタ３０４を介した電源ユニット７１７と負荷側システムの接続は図３に示したのと同一の構成である。これにより、負荷側システム２１６に対し、内部構成の異なる電源ユニット２１７、７１７のいずれについても接続可能な構成となる。また、電源ユニット７１７側には副電源回路がないため、図３で説明したコネクタ３０５は不要である。
【００７４】
次に、図１０〜図１１を参照して図９で示す構成の記録装置における電源オン／オフ時の動作を説明する。図１０は、図９の構成における電源オン時の動作を説明するための信号波形のタイムチャートであり、図１１は、図９の構成において装置の電源をオフにする際の動作を説明するための信号波形のタイムチャートである。
【００７５】
・電源オン時の動作
図１０において、商用電源が供給されている状態でＶｍａｉｎが出力された状態となっている。ここで、ユーザが電源ボタン３０６を押下操作すると、Ｖｍａｉｎの供給を受けてラッチ回路３０３の電源ボタン状態検出ライン（ＰＢＳＤＬ）がハイレベルとなり、ラッチ回路３０３の出力（図９中、Ｄ点の電圧レベル）がハイレベルとなる。ラッチ回路３０３の出力はユーザが電源ボタンの押下操作を解除しても維持される。これにより、ＤＣ／ＤＣ制御信号（ＤＣ／ＤＣ−ＣＮＴＬ）がハイレベルとなり（図１０中の矢印１００１）、ＤＣ／ＤＣ変換回路２１４がイネーブルとなることで電圧変換動作を開始してＶｏｕｔの出力を開始する（図１０中の矢印１００４）。これにより、プリンタ制御回路２１８の各部に電源が供給されて記録装置が起動する。
【００７６】
・電源オフ（記録装置をシャットダウン）時の動作
図１１において、記録装置の稼働状態でユーザ操作により電源ボタンの押下操作が行われると、電源ボタン状態検出ライン（ＰＢＳＤＬ）がハイレベルとなる。図３において説明したように、プリンタ制御回路２１８は電源ボタン状態検出ライン（ＰＢＳＤＬ）の電圧レベルを２個のトランジスタ３１８、３１９を介して監視している。
【００７７】
電源ボタンの押下操作が所定の時間以上継続した場合に、プリンタ制御回路２１８はまず、記録装置をシャットダウンさせるために必要な各種処理を実行する。その後、プリンタ制御回路２１８は、ラッチ解除信号（ＬＡＴＣＨＲ）をハイレベルにし（図１１中の矢印１１０１）、ラッチ回路３０３のラッチ状態を解除する（ラッチ回路の出力はローレベルとなる）。これにより、ＤＣ／ＤＣ制御信号（ＤＣ／ＤＣ−ＣＮＴＬ）はローレベルとなり（図１１中１１０２）、ＤＣ／ＤＣ変換回路２１４はディスエーブルとなる。その結果、ＤＣ／ＤＣ変換回路の動作が停止してＶｏｕｔがオフされ（図５中矢印１１０５）、装置がシャットダウンする。
【００７８】
従って、この実施例に従えば、電源供給機能の異なる電源ユニットと、電源供給受け入れ機能の異なる負荷側システムとが組み合わせられて記録装置を構成するとしても、記録装置としては正常に動作する。そして、組み合わせられた、その機能に合わせて、副電源による電力供給により、電源オフ時における電源監視を可能にすることができる。
【００７９】
なお、本発明は以上において説明した具体的な実施例に限定されるものではなく、本発明の要旨を逸脱しない範囲内において、様々に変更することが可能である。例えば、上記実施例では記録装置を例にして説明したが、本発明は記録装置以外の各種情報処理装置に対しても適用可能である。
【００８０】
また、本発明に関わる記録装置の制御プログラムは、ＣＤ−ＲＯＭやフレキシブルディスク等の記憶媒体から、又は電子メールやインターネットのネットワークを介して、記録装置又はその装置と接続するコンピュータ等にロードされ、実行されてもよい。例えば、記録装置のＲＡＭやＨＤＤ、あるいはコンピュータのＨＤＤ等にこのプログラムを格納することができる。こうした場合でも本発明は適用される。
【図１】
2012243220.tif 000003
【図２】
2012243220.tif 000004
【図３】
2012243220.tif 000005
【図４】
2012243220.tif 000006
【図５】
2012243220.tif 000007
【図６】
2012243220.tif 000008
【図７】
2012243220.tif 000009
【図８】
2012243220.tif 000010
【図９】
2012243220.tif 000011
【図１０】
2012243220.tif 000012
【図１１】
2012243220.tif 000013